(57)【特許請求の範囲】
【請求項１】
被検眼を光学的に検査するための光学系が収容された本体ユニットと、
前記本体ユニットに保持され、略垂直方向の第１軸の回りに回動可能なタッチパネルディスプレイと、
前記タッチパネルディスプレイの前記第１軸の回りの回動を検出する第１検出部と、
前記第１検出部による検出結果に基づいて、前記タッチパネルディスプレイの表示内容を変更する表示制御部と、
顎受け部と、
前記顎受け部と前記光学系とを上下方向に相対移動する上下動機構と、
前記タッチパネルディスプレイに表示された第１操作オブジェクトに対する操作内容に基づいて、前記上下動機構を制御する機構制御部と、
を含み、
前記表示制御部は、前記第１検出部による検出結果に基づいて、前記タッチパネルディスプレイにおける左側領域及び右側領域のうち前記被検眼に近い方の領域に前記第１操作オブジェクトを表示させる、眼科装置。
【請求項２】
前記第１検出部は、前記第１軸の回りの２以上の回動範囲のうち前記タッチパネルディスプレイの回動後の位置が含まれる回動範囲を検出し、
前記表示制御部は、前記第１検出部により検出された回動範囲に基づいて前記タッチパネルディスプレイの表示内容を変更する
ことを特徴とする請求項１に記載の眼科装置。
【請求項３】
前記表示制御部は、前記第１検出部による検出結果に応じて、前記被検眼として右眼を選択するための第２操作オブジェクトを前記タッチパネルディスプレイにおける左側領域及び右側領域の一方に表示させると共に前記被検眼として左眼を選択するための第３操作オブジェクトを前記タッチパネルディスプレイにおける左側領域及び右側領域の他方に表示させる
ことを特徴とする請求項１又は請求項２に記載の眼科装置。
【請求項４】
前記タッチパネルディスプレイは、略水平方向の第２軸の回りに回動可能であり、
前記タッチパネルディスプレイの前記第２軸の回りの回動を検出する第２検出部を含み、
前記表示制御部は、前記第１検出部による検出結果及び前記第２検出部による検出結果に基づいて、前記タッチパネルディスプレイの表示内容を変更する
ことを特徴とする請求項１〜請求項３のいずれか一項に記載の眼科装置。
【請求項５】
前記表示制御部は、前記第２軸の回りの回動によって前記タッチパネルディスプレイの一辺とその対向する辺との上下関係が反転したときの前記タッチパネルディスプレイの表示状態が前記第２軸の回りの回動前の表示状態となるように、前記第２検出部による検出結果に基づいて前記タッチパネルディスプレイの表示内容を上下方向及び左右方向にそれぞれ反転させる
ことを特徴とする請求項４に記載の眼科装置。
【発明の詳細な説明】
【技術分野】
【０００１】
この発明は、眼科装置に関する。
【背景技術】
【０００２】
眼科装置は、光学系を用いて被検眼の特性を測定したり被検眼を撮影したりすることが可能な装置である。眼科装置は、一般的に、ベースに対して左右方向、上下方向及び前後方向に移動可能に設けられた測定ヘッドと、測定ヘッドを移動するための操作部とを含む。測定ヘッドには、被検眼の特性の測定又は被検眼の撮影を行うための光学系と、被検眼に対して光学系の位置合わせを行うためのアライメント手段等とが設けられている。眼科装置は、操作部に対する操作を受けて測定ヘッドを移動し、移動された測定ヘッドの位置で測定を実行する。
【０００３】
例えば、特許文献１には、測定ヘッドの頂部にタッチパネルディスプレイが設けられた眼科装置が開示されている。このタッチパネルディスプレイは、垂直軸及び水平軸のそれぞれの軸の回りに回転が可能である。検者は、検査を行いやすい位置でタッチパネルディスプレイの画面の向きを変えながら被検眼の特性の測定等を行うことができる。
【先行技術文献】
【特許文献】
【０００４】
【特許文献１】特開２０１２−１４８０３０号公報
【発明の概要】
【発明が解決しようとする課題】
【０００５】
しかしながら、検査を行いやすい位置に検者が移動すると、タッチパネルディスプレイの画面の向きの変更だけでは眼科装置に対する操作性が低下する場合がある。例えば、検者が被検者の右側に寄り添って検査を行う場合と被検者の左側に寄り添って検査を行う場合とで、検者と被検者と眼科装置（タッチパネルディスプレイ）との位置関係が変化し、検者が眼科装置に対して直感的に操作することが難しくなる場合がある。
【０００６】
本発明は、上記の問題点を解決するためになされたものであり、タッチパネルディスプレイを備えた眼科装置に対する操作性の低下を防ぐ新たな技術を提供することを目的とする。
【課題を解決するための手段】
【０００７】
実施形態に係る眼科装置は、本体ユニットと、タッチパネルディスプレイと、第１検出部と、表示制御部と、顎受け部と、上下動機構と、機構制御部とを含む。本体ユニットには、被検眼を光学的に検査するための光学系が収容される。タッチパネルディスプレイは、本体ユニットに保持され、略垂直方向の第１軸の回りに回動可能である。第１検出部は、タッチパネルディスプレイの第１軸の回りの回動を検出する。表示制御部は、第１検出部による検出結果に基づいて、タッチパネルディスプレイの表示内容を変更する。上下動機構は、顎受け部と光学系とを上下方向に相対移動する。機構制御部は、タッチパネルディスプレイに表示された第１操作オブジェクトに対する操作内容に基づいて、上下動機構を制御する。表示制御部は、第１検出部による検出結果に基づいて、タッチパネルディスプレイにおける左側領域及び右側領域のうち被検眼に近い方の領域に第１操作オブジェクトを表示させる。
【発明の効果】
【０００８】
この発明によれば、タッチパネルディスプレイを備えた眼科装置に対する操作性の低下を防ぐ新たな技術を提供することができる。
【図面の簡単な説明】
【０００９】
【図１Ａ】実施形態に係る眼科装置の外観構成の一例を示す概略図。
【図１Ｂ】実施形態に係る眼科装置の外観構成の一例を示す概略図。
【図２Ａ】実施形態に係る眼科装置の外観構成の一例を示す概略図。
【図２Ｂ】実施形態に係る眼科装置の外観構成の一例を示す概略図。
【図３Ａ】実施形態に係る眼科装置の外観構成の一例を示す概略図。
【図３Ｂ】実施形態に係る眼科装置の外観構成の一例を示す概略図。
【図４Ａ】実施形態に係る眼科装置の外観構成の一例を示す概略図。
【図４Ｂ】実施形態に係る眼科装置の外観構成の一例を示す概略図。
【図５Ａ】実施形態に係る眼科装置の外観構成の一例を示す概略図。
【図５Ｂ】実施形態に係る眼科装置の外観構成の一例を示す概略図。
【図６】実施形態に係るサブユニットの外観構成の一例を示す概略図。
【図７Ａ】実施形態に係る垂直軸回動検出部の構成の一例を示す概略図。
【図７Ｂ】実施形態に係る垂直軸回動検出部の構成の一例を示す概略図。
【図７Ｃ】実施形態に係る垂直軸回動検出部の動作例の説明図。
【図７Ｄ】実施形態に係る垂直軸回動検出部の動作例の説明図。
【図８】実施形態に係る眼科装置の構成例のブロック図。
【図９】実施形態に係る操作画面の一例を示す図。
【図１０】実施形態の眼科装置の動作説明図。
【図１１】実施形態の眼科装置の動作説明図。
【図１２Ａ】実施形態の変形例に係る垂直軸回動検出部の構成の一例を示す概略図。
【図１２Ｂ】実施形態の変形例に係る垂直軸回動検出部の構成の一例を示す概略図。
【発明を実施するための形態】
【００１０】
この発明に係る眼科装置の実施形態の例について、図面を参照しながら詳細に説明する。実施形態に係る眼科装置は、本体ユニットと、サブユニットとを含む。本体ユニットには、被検眼を光学的に検査するための光学系が収容される。サブユニットは、タッチパネルディスプレイを備え、本体ユニットに対して相対的に移動可能である。眼科装置は、検者等のユーザによるタッチパネルディスプレイに対する操作を受け、任意の自覚検査及び／又は任意の他覚測定を単体で実行することが可能である。
【００１１】
例えば、眼科装置は、自覚検査として、遠用検査、近用検査、コントラスト検査、グレア検査などを実行可能であり、他覚測定として、他覚屈折測定、角膜形状測定などを実行可能な検眼装置（オートレフケラトメータ）であってよい。しかし、実施形態に係る眼科装置はこれに限定されるものではない。本発明を適用可能な眼科装置として、眼底撮影装置や、光コヒーレンストモグラフィ（Ｏｐｔｉｃａｌ  Ｃｏｈｅｒｅｎｃｅ  Ｔｏｍｏｇｒａｐｈｙ：以下、ＯＣＴ）装置や、眼軸長測定装置や、眼圧計などがある。眼底撮影装置は、眼底を撮影する装置である。ＯＣＴ装置は、ＯＣＴを用いて眼底や前眼部などの被検眼の任意の部位を画像化する装置である。眼軸長測定装置は、例えば、被検眼に光を照射することにより角膜頂点位置から網膜前面までの距離を眼軸長として測定する装置である。眼圧計は、例えば、圧縮空気が吹き付けられた被検眼の前眼部を照明することにより取得された角膜からの戻り光の光量と圧縮空気の圧力等とに基づいて眼圧を測定する装置である。
【００１２】
以下、眼科装置の前後方向をＺ方向とし、左右方向をＸ方向とし、上下方向をＹ方向とする。また、画面の左右方向については、当該画面に正対したときの方向を意味するものとする。なお、この明細書に記載された文献の記載内容を、以下の実施形態の内容として適宜援用することが可能である。
【００１３】
以下の実施形態では、タッチパネルディスプレイが本体ユニットに保持され、略垂直方向の回動軸（垂直軸）及び略水平方向の回動軸（水平軸）のそれぞれの軸の回りに回動可能な場合について説明するが、実施形態に係る眼科装置はこれに限定されるものではない。実施形態に係る眼科装置は、略垂直方向の回動軸の回りだけ回動可能なタッチパネルディスプレイを備えたものであってもよい。
【００１４】
［眼科装置］
図１Ａに、実施形態に係る眼科装置の外観構成の概略図を示す。図１Ｂに、図１Ａの矢印Ａ方向から見たときの眼科装置の外観図を示す。
【００１５】
眼科装置１は、本体ユニット２０と、サブユニット３０とを含む。本体ユニット２０は、ベース２と、測定ヘッド３と、顎受け部４とを含む。サブユニット３０は、タッチパネルディスプレイ１０を含む。顎受け部４には、額当て５が設けられている。被検者は、顎受け部４に顎を置き、額当て５に額を当てた状態で検査を受ける。
【００１６】
測定ヘッド３の内部には、観察・撮影光学系６が設けられている。観察・撮影光学系６は、被検眼の前眼部、角膜、眼底等の観察や撮影を行うために用いられる。このような観察・撮影光学系６は、例えば特開２０１５−０５８１０７号公報に記載されるように公知の光学系である。したがって、観察・撮影光学系６の構成について説明を省略する。
【００１７】
ベース２には、測定ヘッド３を駆動する駆動部８が設けられている。駆動部８は、例えば、上下方向、左右方向及び前後方向のうち少なくとも１つの方向に測定ヘッド３を移動するための移動機構と、移動機構を駆動する駆動モータとを含む。この実施形態では、駆動部８は、上下移動機構、左右移動機構、前後移動機構、上下駆動モータ、左右駆動モータ及び前後駆動モータを含む。上下移動機構は、測定ヘッド３を上下方向に移動する。上下駆動モータは、上下移動機構を駆動する。左右移動機構は、測定ヘッド３を左右方向に移動する。左右駆動モータは、左右移動機構を駆動する。前後移動機構は、測定ヘッド３を前後方向に移動する。前後駆動モータは、前後移動機構を駆動する。このような駆動部８の構成は、例えば特開２００８−６１７１５号公報に記載されるように公知である。したがって、駆動部８の構成についての詳細な説明を省略する。測定ヘッド３は、駆動部８により駆動されることにより、ベース２に対して上下方向、左右方向及び前後方向に移動される。それにより、顎受け部４に保持されている被検者の顔に対する測定ヘッド３の位置が変更される。
【００１８】
また、駆動部８は、上下方向に顎受け部４を移動するための上下動機構と、上下動機構を駆動する駆動モータとを含む。顎受け部４は、駆動部８により駆動されることにより、測定ヘッド３に対して上下方向に移動される。それにより、顎受け部４と観察・撮影光学系６が上下方向に相対移動される。
【００１９】
タッチパネルディスプレイ１０は、タッチパネル式の表示画面１０ａを備え、表示部としての機能と操作部としての機能とを有する。表示画面１０ａには、ユーザが眼科装置１に対する操作を行うための操作画面や、眼科装置１により取得された被検眼の画像などが表示される。操作画面には、眼科装置１に対する制御内容に対応した１以上の操作オブジェクトが配置されている。タッチパネルディスプレイ１０は、表示画面１０ａに表示された操作オブジェクト（操作画面）に対するユーザのタッチ操作が可能に構成される。タッチパネルディスプレイ１０は、ユーザインターフェイス部の一例である。
【００２０】
任意の位置の検者に対して操作画面などを呈示するため、サブユニット３０（タッチパネルディスプレイ１０）の位置が変更可能である。図１Ａは、検者と被検者とが向かい合って検査を行う場合のタッチパネルディスプレイ１０の位置を説明するための眼科装置の外観図を表す。
【００２１】
タッチパネルディスプレイ１０は、略垂直方向の回動軸（垂直軸Ｏ１）及び略水平方向の（回動軸（水平軸Ｏ２）のそれぞれの軸の回りに回動可能に測定ヘッド３の頂部９に取り付けられている。この実施形態では、図１Ａ及び図１Ｂに示すようなタッチパネルディスプレイ１０の位置は水平軸より低い位置にあると表記する。
【００２２】
タッチパネルディスプレイ１０の水平軸Ｏ２の回りの回動により回動前後の表示画面１０ａの上下方向及び左右方向が逆方向になる。この場合、眼科装置１は、回動前後で表示画面１０ａに表示される画像の見た目上の位置が同じ位置になるように画像情報に対する制御を行うことが可能である。すなわち、眼科装置１は、水平軸Ｏ２の回りの回動によってタッチパネルディスプレイ１０の一辺とその対向する辺との上下関係が反転したときの表示画面１０ａにおける表示状態が当該回動前の表示状態となるように、画像情報に対する制御を行うことが可能である。例えば、眼科装置１は、タッチパネルディスプレイ１０の水平軸Ｏ２の回りの回動に応じて、画像情報の上下方向及び左右方向の反転制御を行う。
【００２３】
タッチパネルディスプレイ１０の垂直軸Ｏ１の回りの回動により被検者（被検眼）に近い方の表示画面１０ａの端部が左側の左端部から右側の右端部に、又は右端部から左端部に切り替わる場合がある。この場合、眼科装置１は、検者等のユーザが直感的に操作を行うことができるように表示画面１０ａに表示されている操作画面の内容を変更することが可能である。例えば、眼科装置１は、タッチパネルディスプレイ１０の垂直軸Ｏ１の回りの回動に応じて、表示画面１０ａにおける左側領域及び右側領域のうち被検眼に近い方の領域に顎受け部４の上下動を操作するための操作オブジェクトを表示させる。
【００２４】
図２Ａは、タッチパネルディスプレイ１０の位置を説明するための眼科装置１の外観図を表す。図２Ｂは、図２Ａの矢印Ｂ方向から見たときの眼科装置１の外観図を表す。例えば、タッチパネルディスプレイ１０を図２Ａ及び図２Ｂに示す位置に変更することにより、被検者の側に検者が寄り添って検査を行うことができる。この実施形態では、図２Ａ及び図２Ｂに示すようなタッチパネルディスプレイ１０の位置は水平軸Ｏ２より高い位置にあると表記する。
【００２５】
図３Ａは、タッチパネルディスプレイ１０の位置を説明するための眼科装置１の外観図を表す。図３Ｂは、図３Ａの矢印Ｃ方向から見たときの眼科装置の外観図を表す。例えば、タッチパネルディスプレイ１０を図３Ａ及び図３Ｂに示す位置に変更することにより、眼科装置１の側面側に検者が立った状態で検査を行うことができる。図３Ａ及び図３Ｂでは、タッチパネルディスプレイ１０の位置は水平軸Ｏ２より高い位置にある。
【００２６】
図４Ａは、タッチパネルディスプレイ１０の位置を説明するための眼科装置の外観図を表す。図４Ｂは、図４Ａの矢印Ｄ方向から見たときの眼科装置の外観図を表す。例えば、タッチパネルディスプレイ１０を図４Ａ及び図４Ｂに示す位置に変更することにより、眼科装置１の側面側に検者が座った状態で検査を行うことができる。図４Ａ及び図４Ｂでは、タッチパネルディスプレイ１０の位置は水平軸Ｏ２より低い位置にある。
【００２７】
図５Ａは、タッチパネルディスプレイ１０の位置を説明するための眼科装置の外観図を表す。図５Ｂは、図５Ａの矢印Ｅ方向から見たときの眼科装置の外観図を表す。例えば、タッチパネルディスプレイ１０を図５Ａ及び図５Ｂに示す位置に変更することにより、眼科装置１の側面側に検者が座った状態で検査を行うことができる。図５Ａ及び図５Ｂでは、タッチパネルディスプレイ１０の位置は水平軸Ｏ２より低い位置にある。
【００２８】
実施形態に係る眼科装置１では、タッチパネルディスプレイ１０を前述した位置以外の位置に変更することが可能である。例えば、サブユニット３０（タッチパネルディスプレイ１０）を上下方向に伸縮可能な保持部により保持することで、サブユニット３０（タッチパネルディスプレイ１０）を本体ユニット２０に対して上下方向に相対移動することが可能である。それにより、被検者や本体ユニット２０の被検者側の部分に干渉しないようにタッチパネルディスプレイ１０を被検者側の位置に配置し、被検者側又は検者側にタッチパネルディスプレイ１０の表示画面１０ａを向けることができる。また、上記の伸縮可能な保持部を設けるまでもなく、表示画面１０ａを上方に向けつつタッチパネルディスプレイ１０を被検者側の位置に配置するようにしてもよい。以上のように、実施形態に係る眼科装置１では、任意の位置の検者に対しタッチパネルディスプレイ１０に被検眼の像や操作画面を呈示しつつ、当該位置の検者がタッチパネルディスプレイ１０に対してタッチ操作を行うことにより被検眼の検査を行うことができる。
【００２９】
［サブユニット］
図６に、実施形態に係るサブユニット３０の概略構成の一例の斜視図を模式的に示す。図６は、測定ヘッド３の頂部９に取り付けられたタッチパネルディスプレイ１０の回動機構を説明するために表示画面１０ａの反対側の面から見た場合の構成の概略を表したものである。なお、図６はサブユニット３０の構成の一例を示すものであり、実施形態に係るサブユニット３０の構成は、図６に示すものに限定されるものではない。
【００３０】
測定ヘッド３の頂部９には、取付部１１が設けられている。取付部１１は、垂直軸受け部材１２と、水平軸受け部材１３とを含む。
【００３１】
垂直軸受け部材１２は、ネジ等の固定部材により測定ヘッド３の頂部９に固定される。垂直軸受け部材１２には、垂直筒部１４が例えば溶着手段により溶着固定されている。
【００３２】
水平軸受け部材１３は、水平板部１３ａと、一対の支承板部１３ｂ、１３ｂとを含む。一対の支承板部１３ｂ、１３ｂは、水平板部１３ａに対して起立されている。水平板部１３ａには、その中央に円形開口１３ｃが形成されている。垂直筒部１４は円形開口１３ｃに挿通される。例えば、垂直筒部１４には、水平板部１３ａを挟むようにして摩擦リング板が挿通されるとともに、摩擦リング板と水平板部１３ａとを挟むようにして抜け止めリング部材が装着される。
【００３３】
水平板部１３ａは、抜け止めリング部材により垂直筒部１４に支承され、抜け止めリング部材と摩擦リング板により垂直軸Ｏ１方向に適宜の圧力を受けつつ垂直筒部１４の軸回り方向に適宜の力を受けて回動可能とされる。それにより、垂直軸Ｏ１回り方向の適宜の位置で停止状態が維持可能とされる。
【００３４】
一対の支承板部１３ｂ、１３ｂには、支持アーム部材１３ｄが回動可能に支持される。支持アーム部材１３ｄは、一対のアーム板部１３ｅ、１３ｆと、取付けブラケット板部１３ｇとを含む。
【００３５】
アーム板部１３ｅには、水平軸部１３ｈが設けられている。アーム板部１３ｆには円形開口１３ｊが形成されている。水平軸部１３ｈは、支承板部１３ｂの一方に水平軸Ｏ２回り方向に回動可能に支持されている。水平軸部１３ｈには、公知のトルクヒンジ部材が用いられる。このトルクヒンジ部材により水平軸Ｏ２回りの回動力の調整を行うことができる。
【００３６】
支承板部１３ｂの他方には、円形開口１３ｊに対向する円形開口１３ｋが形成されている。円形開口１３ｊ、１３ｋには、中空筒部１９が挿通されている。中空筒部１９は支承板部１３ｂの他方に固定され、支持アーム部材１３ｄは、中空筒部１９と水平軸部１３ｈとにより水平軸Ｏ２回りに回動可能とされている。中空筒部１９は、公知の手法により支承板部１３ｂに対する軸方向の抜け止めが図られている。
【００３７】
取付けブラケット板部１３ｇは、一対のアーム板部１３ｅ、１３ｆに跨って配置されている。取付けブラケット板部１３ｇは、ネジ等の固定部材によりタッチパネルディスプレイ１０の裏面に固定される。
【００３８】
取付部１１は、タッチパネルディスプレイ１０の垂直軸Ｏ１の回りの回動を検出する垂直軸回動検出部（図６では不図示）と、タッチパネルディスプレイ１０の水平軸Ｏ２の回りの回動を検出する水平軸回動検出部（図６では不図示）とを含む。
【００３９】
水平軸回動検出部は、例えば、タッチパネルディスプレイ１０の表示画面１０ａが水平状態より上側にあるか否かを検出する。水平軸回動検出部は、例えば、アーム板部１３ｅ及び支承板部１３ｂの一方に設けられた発光部と、他方に設けられた受光センサとを含む。また、水平軸回動検出部は、タッチパネルディスプレイ１０と連動して水平軸Ｏ２の回りに回動可能な遮蔽部材を更に備え、相対位置が固定された発光部と受光センサとの間で当該遮蔽部材が移動可能に構成されていてもよい。この場合、タッチパネルディスプレイ１０に連動して移動する遮蔽部材により発光部からの光を遮蔽することにより、タッチパネルディスプレイ１０の水平軸Ｏ２の回りの回動を検出することが可能である。上記のような水平軸回動検出部は、タッチパネルディスプレイ１０が所定状態のときに受光センサにより得られた検出信号がオンになり、当該所定状態から所定角度を超えたとき当該検出信号がオフになるように構成される。
【００４０】
垂直軸回動検出部は、例えば、垂直軸Ｏ１の回りの２以上の回動範囲のうちタッチパネルディスプレイ１０の垂直軸Ｏ１の回りの回動後の位置が含まれる回動範囲を検出する。この実施形態では、垂直軸回動検出部は、垂直軸Ｏ１の回りを分割して得られた４つ回動範囲のうちタッチパネルディスプレイ１０の垂直軸Ｏ１の回りの回動後の位置が含まれる回動範囲を検出する。
【００４１】
図７Ａ〜図７Ｄに、実施形態に係る垂直軸回動検出部の説明図を示す。図７Ａは、垂直軸Ｏ１の方向から見た実施形態に係る垂直軸回動検出部の構成の概要を模式的に表したものである。説明の便宜上、タッチパネルディスプレイ１０の表示画面１０ａの向き（画面の法線方向の向き）が被検者側の向きを１８０°の位置とし、被検者に正対する検者側の向きを０°の位置とし、反時計回りに回動角度が大きくなるものとする。図７Ｂは、図７ＡのＦ−Ｆ線（９０°の位置と２７０°の位置とを結ぶ線）断面図を表したものである。図７Ｃ及び図７Ｄは、図７Ａの垂直軸回転検出部の動作説明図である。図７Ｃは、垂直軸Ｏ１の回りの回動ごとの垂直軸回動検出部の動作説明図であり、図７Ｄは、回動範囲ごとの垂直軸回動検出部の動作説明図である。
【００４２】
垂直軸回動検出部は、センサ保持部１５と、遮蔽部材１６とを含む。センサ保持部１５は、発光部保持部１５ａと、受光センサ保持部１５ｂと、支持部１５ｃとを含む。遮蔽部材１６の第１面に対向する発光部保持部１５ａの面には、所定の距離だけ離れた位置に発光部ＰＳ１、ＰＳ２が配置されている。遮蔽部材１６の第１面の反対の第２面に対向する受光センサ保持部１５ｂの面には、所定の距離だけ離れた位置に受光センサＰＤ１、ＰＤ２が配置されている。受光センサＰＤ１は、発光部ＰＳ１により発光された光を受光するように設けられている。受光センサＰＤ２は、発光部ＰＳ２により発光された光を受光するように設けられている。
【００４３】
支持部１５ｃは、遮蔽部材１６の厚さより長い距離を置いて、発光部保持部１５ａと受光センサ保持部１５ｂとを支持する。それにより、センサ保持部１５では、各組の発光部及び受光センサの相対位置が固定される。遮蔽部材１６は、タッチパネルディスプレイ１０と連動して垂直軸Ｏ１の回り各組の発光部と受光センサとの間を移動可能である。遮蔽部材１６には、垂直軸Ｏ１からの距離が互いに異なる２つの円周方向に１以上のスリット又は切り欠き部が形成されている。このような遮蔽部材１６は、公知のエッチングやプレス加工により形成可能である。発光部により発光された光は、遮蔽部材１６のスリット又は切り欠き部を通過したとき受光センサにより受光され、遮蔽部材１６のスリット又は切り欠き部以外の部分に照射されたとき受光センサにより受光されない。以上のように、タッチパネルディスプレイ１０に連動して移動する遮蔽部材１６により発光部からの光を遮蔽することにより、タッチパネルディスプレイ１０の垂直軸Ｏ１の回りの回動範囲Ｒ１〜Ｒ４を検出することが可能である。回動角度をθとすると、回動範囲Ｒ１は、−４５°（３１５°）＜θ≦＋４５°の範囲である。回動範囲Ｒ２は、＋４５°＜θ≦＋１３５°の範囲である。回動範囲Ｒ３は、＋１３５°＜θ≦＋２２５°の範囲である。回動範囲Ｒ４は、＋２２５°＜θ≦＋３１５°の範囲である。
【００４４】
例えば、９０°の位置にセンサ保持部１５が配置されている場合、図７Ｃ及び図７Ｄに示すように、受光センサＰＤ１、ＰＤ２により得られた検出信号が変化する。それにより、受光センサＰＤ１、ＰＤ２により得られた検出信号に基づいて、垂直軸Ｏ１の回りの回動後のタッチパネルディスプレイ１０の位置が含まれる回動範囲を特定することが可能である。
【００４５】
なお、垂直軸回動検出部は、サブユニット３０側に設けられている場合について説明したが、本体ユニット２０側に設けられていてもよい。
【００４６】
図６では、取付部１１が測定ヘッド３の頂部９に設けられている場合について説明したが、実施形態に係る眼科装置１の構成はこれに限定されるものではない。例えば、測定ヘッド３の頂部９に垂直軸Ｏ１の回りに回動可能な保持アームの基端部が設けられ、当該保持アームの先端部に取付部１１が設けられていてもよい。この場合、垂直軸回動検出部は、保持アームの基端部の垂直軸Ｏ１の回りの回動を検出するように構成される。
【００４７】
［制御系］
図８に、眼科装置１の制御系の構成例の一例を示す。図８において、図１Ａ〜図７Ｄと同様の部分には同一符号を付し、適宜説明を省略する。
【００４８】
眼科装置１の制御系は、制御部２００を中心に構成される。制御部２００は、例えば、マイクロプロセッサ、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ハードディスクドライブ等を含む。制御部２００には、主制御部２０１と記憶部２０２とが設けられている。
【００４９】
眼科装置１は、複数の測定モードで動作可能である。主制御部２０１は、眼科装置１の各部の制御を行う。測定モードには、眼屈折力測定や角膜形状測定を行うためのＲ／Ｋ測定モードと、眼圧測定や角膜厚測定を行うためのＴ／Ｐ測定モードと、Ｒ／Ｋ測定モードでの測定とＴ／Ｐ測定モードでの測定とを連続で実行するＲ／Ｋ→Ｔ／Ｐ測定モードとがある。Ｒ／Ｋ測定モードには、眼屈折力測定を単独で行うためのＲＥＦモードと、角膜形状測定を単独で行うためのＫＲＴモードと、眼屈折力測定と角膜形状測定とを連続で行うＲ／Ｋモードとがある。Ｔ／Ｐ測定モードには、眼圧測定を単独で行うためのＴＯＮＯモードと、眼圧測定と角膜厚測定とを連続で実行するＴ／Ｐモードとがある。主制御部２０１は、測定ヘッド３を制御することにより、測定モードに応じた被検眼の測定等の制御を実行する。
【００５０】
主制御部２０１は、測定ヘッド３、駆動部８、タッチパネルディスプレイ１０などを制御する。主制御部２０１は、表示制御部２０１Ａと、機構制御部２０１Ｂとを含む。主制御部２０１は、測定ヘッド３に対する制御としては、例えば、被検眼の特性の測定又は被検眼の撮影を行うための光学系の制御などを行う。表示制御部２０１Ａは、タッチパネルディスプレイ１０に対して、測定ヘッド３を用いて取得された被検眼の画像や操作画面の表示制御などを行う。機構制御部２０１Ｂは、駆動部８に対する制御としては、例えば、上下駆動モータ、左右駆動モータ、前後駆動モータ、顎受け部４を移動するための上下動機構を駆動する駆動モータに対する駆動制御などを行う。また、主制御部２０１は、タッチパネルディスプレイ１０に対するタッチ操作の受付制御などを行う。主制御部２０１は、タッチパネルディスプレイ１０に対して行われた操作内容に基づいて、眼科装置１の各部の制御を行うことができる。
【００５１】
タッチパネルディスプレイ１０は、表示画面１０ａに対するタッチ操作を検出する。タッチパネルディスプレイ１０により検出されたタッチ操作に対応した操作検出信号は、主制御部２０１に送信される。
【００５２】
垂直軸回動検出部３１は、図７Ａ〜図７Ｄに示したように、タッチパネルディスプレイ１０の垂直軸Ｏ１の回りの回動を検出する。水平軸回動検出部３２は、前述のように、タッチパネルディスプレイ１０の水平軸Ｏ２の回りの回動を検出する。
【００５３】
表示制御部２０１Ａは、水平軸回動検出部３２により得られた検出結果に基づいて、タッチパネルディスプレイ１０に表示される画像情報を上下左右反転させることが可能である。それにより、タッチパネルディスプレイ１０が水平軸Ｏ２の回りに回動されて、その表示画面１０ａが逆さまになる前と逆さまになったときとで、被検眼の像と操作ボタンとの見た目上の位置が同じ位置となるように表示画面１０ａに各種情報を表示させることが可能になる。
【００５４】
表示制御部２０１Ａは、垂直軸回動検出部３１により得られた検出結果に基づいて、タッチパネルディスプレイ１０に表示される表示内容を変更することが可能である。具体的には、表示制御部２０１Ａは、垂直軸回動検出部３１により得られた検出結果に基づいて、タッチ操作を行うための操作オブジェクトの配置を変更することが可能である。それにより、ユーザと被検眼と眼科装置１との位置関係が変更された場合でも、ユーザはタッチパネルディスプレイ１０を用いて直感的に眼科装置１に対する操作を行うことができる。
【００５５】
図９に、タッチパネルディスプレイ１０の表示画面１０ａに表示されたＧＵＩ（グラフィカルユーザインターフェイス）の一例を示す。図９は、Ｔ／Ｐ測定モードのとき、タッチパネルディスプレイ１０が垂直軸Ｏ１の回りの２７０°の位置にあるとき（例えば、図４Ａ及び図４Ｂ）のＧＵＩの一例を表す。
【００５６】
例えば、Ｔ／Ｐ測定モードのとき、タッチパネルディスプレイ１０の表示画面１０ａには、表示領域Ｇ１と、操作用オブジェクト配置領域Ｇ２とが設けられる。表示領域Ｇ１には、被検者ＩＤ（患者ＩＤ）、検者ＩＤ、測定モード、測定結果、アライメントマーク、被検眼の画像などが表示される。操作用オブジェクト配置領域Ｇ２には、複数の操作用オブジェクトが表示される。操作用オブジェクト配置領域Ｇ２には、Ｒボタンｇｂ１、顎受け上下動ボタンｇｂ２、測定モードボタンｇｂ３、モードボタンｇｂ４、Ｌボタンｇｂ５、測定ヘッド前進／後進ボタンｇｂ６、スタートボタンｇｂ７、オート／マニュアルボタンｇｂ８が表示される。顎受け上下動ボタンｇｂ２は、上方向の移動ボタンと下方向の移動ボタンとを含む。測定ヘッド前進／後進ボタンｇｂ６は、前進方向の移動ボタンと後進方向の移動ボタンとを含む。また、操作用オブジェクト配置領域Ｇ２には、ＩＯＬモードボタンｇｂ１０、３０／６０レンジボタンｇｂ１１、測定回数切替ボタンｇｂ１２、プリントボタンｇｂ１３などが更に表示される。
【００５７】
Ｒボタンｇｂ１は、検査対象眼として右眼を選択するためのボタンである。Ｒボタンｇｂ１に対してタッチ操作が行われたとき、主制御部２０１（機構制御部２０１Ｂ）は、駆動部８を制御することにより測定ヘッド３を右眼の測定位置に移動する。
【００５８】
顎受け上下動ボタンｇｂ２は、顎受け部４を上下動するためのボタンである。顎受け上下動ボタンｇｂ２に対してタッチ操作が行われたとき、機構制御部２０１Ｂは、駆動部８を制御することにより顎受け部４を上下方向に移動する。このとき、機構制御部２０１Ｂは、測定ヘッド３を後退させてもよい。
【００５９】
測定モードボタンｇｂ３は、ＲＥＦモード、ＫＲＴモード、Ｒ／Ｋモードのいずれかの測定モードに切り替えるためのボタンである。モードボタンｇｂ４は、Ｒ／Ｋ測定モード、Ｔ／Ｐ測定モード、Ｒ／Ｋ→Ｔ／Ｐ測定モードのいずれかの測定モードに切り替えるためのボタンである。測定モードボタンｇｂ３又はモードボタンｇｂ４に対してタッチ操作が行われたとき、主制御部２０１は、タッチ操作により指定された測定モードを切り替える制御を実行する。
【００６０】
Ｌボタンｇｂ５は、検査対象眼として左眼を選択するためのボタンである。Ｌボタンｇｂ５に対してタッチ操作が行われたとき、機構制御部２０１Ｂは、駆動部８を制御することにより測定ヘッド３を左眼の測定位置に移動する。
【００６１】
測定ヘッド前進／後進ボタンｇｂ６は、被検眼に対し測定ヘッド３を接近させたり後退させたりするためのボタンである。測定ヘッド前進／後進ボタンｇｂ６に対してタッチ操作が行われたとき、機構制御部２０１Ｂは、駆動部８を制御することにより測定ヘッド３を前後方向に移動する。
【００６２】
スタートボタンｇｂ７は、測定を開始するためのボタンである。スタートボタンｇｂ７に対してタッチ操作が行われたとき、主制御部２０１は、選択されている測定モードでの測定を開始させる。
【００６３】
オート／マニュアルボタンｇｂ８は、オートモードとマニュアルモードとを切り替えるためのボタンである。オートモードは、被検眼に対する測定ヘッド３のアライメントを自動で実行するモードである。マニュアルモードは、タッチパネルディスプレイ１０を用いて測定ヘッド３のアライメントを手動で実行するモードである。オートモードにおいてＸＹ方向のアライメントを実行する場合、主制御部２０１は、例えば、所定のアライメント目標位置と撮像素子に投影された戻り光の位置とのずれ量がキャンセルされるように測定ヘッド３をＸ方向及びＹ方向の少なくとも一方に移動する。オートモードにおいてＺ方向のアライメントを実行する場合、主制御部２０１は、例えば、検出素子上で検出された戻り光の位置の変化を解析して対物レンズに対する被検眼の角膜頂点の位置を求め、求められた位置に基づいて測定ヘッド３をＺ方向に移動する。
【００６４】
ＩＯＬモードボタンｇｂ１０は、ＩＯＬ挿入眼等でアライメントが不可能なときに選択するためのボタンである。ＩＯＬモードボタンｇｂ１０に対してタッチ操作が行われたとき、主制御部２０１は、アライメント手段により投影された光の戻り光に基づく輝点を正常に検出できるように、光源の光量の低下や戻り光のピント位置等の制御を行う。
【００６５】
３０／６０レンジボタンｇｂ１１は、眼圧の測定レンジを切り替えるためのボタンである。３０／６０レンジボタンｇｂ１１に対してタッチ操作が行われたとき、主制御部２０１は、眼圧を測定するための圧力の検知手段の測定レンジ等を変更する。
【００６６】
測定回数切替ボタンｇｂ１２は、測定回数を切り替えるためのボタンである。測定回数切替ボタンｇｂ１２に対してタッチ操作が行われたとき、主制御部２０１は、測定回数の指定を促し、測定回数を指定された回数に設定する。
【００６７】
プリントボタンｇｂ１３は、測定結果のプリントアウトを実行するためのボタンである。プリントボタンｇｂ１３に対してタッチ操作が行われたとき、主制御部２０１は、図示しない出力部を制御することにより測定結果のプリントアウトを実行させる。
【００６８】
また、主制御部２０１は、記憶部２０２にデータを書き込む処理や、記憶部２０２からデータを読み出す処理を行う。
【００６９】
記憶部２０２は、各種のデータを記憶する。記憶部２０２に記憶されるデータとしては、例えば、被検眼の画像データ、被検眼情報などがある。被検眼情報は、被検者ＩＤや氏名などの被検者に関する情報や、左眼／右眼の識別情報などの被検眼に関する情報を含む。また、記憶部２０２には、眼科装置１を動作させるための各種プログラムやデータが記憶されている。
【００７０】
データ処理部２１０は、観察・撮影光学系６に対する制御を行うことにより得られた被検眼の像等の画像を解析することにより、ＲＥＦ／ＫＲＴ測定モード及びＴＯＮＯ／ＰＡＣＨＯ測定モードの測定値を生成することが可能である。
【００７１】
以上のように、タッチパネルディスプレイ１０が垂直軸Ｏ１の回りの２７０°の位置にあるとき（図４Ａ及び図４Ｂ参照）、表示画面１０ａにおける左側領域及び右側領域のうち被検者に近い左側領域の左端部近傍に顎受け上下動ボタンｇｂ２が配置されている。これに対して、タッチパネルディスプレイ１０が垂直軸Ｏ１の回りの９０°の位置にあるとき（図５Ａ及び図５Ｂ参照）、表示画面１０ａにおける右側領域が被検者に近くなる。そこで、この実施形態では、垂直軸Ｏ１の回りの２７０°の位置にあるときに表示画面１０ａの左側領域の左端部近傍に配置されていた顎受け上下動ボタンｇｂ２の配置位置が右側領域の右端部近傍に変更される。このとき、測定ヘッド前進／後進ボタンｇｂ６の配置位置は、表示画面１０ａにおける右側領域の右端部近傍から左側領域の左端部近傍に変更される。また、後述するように、タッチパネルディスプレイ１０の位置に応じてＲボタンｇｂ１及びＬボタンｇｂ５の配置位置も変更される。
【００７２】
図１０及び図１１に、実施形態に係る眼科装置１の動作説明図を示す。図１０は、実施形態に係る眼科装置１において検出可能なタッチパネルディスプレイ１０の表示画面１０ａの状態の一例を表す。図１１は、実施形態に係る眼科装置１におけるタッチパネルディスプレイ１０の表示画面１０ａに対する表示制御の説明図を表す。図１１において、図９と同様の部分には同一符号を付し、適宜説明を省略する。
【００７３】
なお、図１１は、各位置から表示画面１０ａを見たときの操作画面を模式的に表している。各位置では、水平軸Ｏ２より高い位置にあるときの操作画面（Ｄ２、Ｄ３、Ｄ７、Ｄ８）と、水平軸Ｏ２により低い位置にあるときの操作画面（Ｄ１、Ｄ４、Ｄ５、Ｄ６）とが模式的に表されている。
【００７４】
図１０に示すように、主制御部２０１は、水平軸回動検出部３２による検出結果及び垂直軸回動検出部３１による検出結果に基づいて、８（＝２×４）種類のタッチパネルディスプレイ１０の表示画面１０ａの状態を検出する。表示制御部２０１Ａは、図１０に示すようなタッチパネルディスプレイ１０の表示画面１０ａの状態に応じて、図１１に示すように表示内容を変更しつつ表示画面１０ａに表示させる。
【００７５】
以下、表示画面１０ａの制御例について説明する。
【００７６】
図１１に示すように、タッチパネルディスプレイ１０が水平軸Ｏ２より低い位置にある場合（図１Ａ及び図１Ｂ参照）、表示画面１０ａは０°の位置の方向に向けられる。表示制御部２０１Ａは、表示画面１０ａに操作画面Ｄ１を表示させる。
【００７７】
例えば、操作画面Ｄ１が表示された位置からタッチパネルディスプレイ１０が水平軸Ｏ２の回りに回動された場合、図２Ａ及び図２に示すようにタッチパネルディスプレイ１０が水平軸Ｏ２より高い位置に配置される。表示画面１０ａは１８０°の位置の方向に向けられる。表示制御部２０１Ａは、水平軸回動検出部３２による検出結果に基づいて、表示画面１０ａに操作画面Ｄ３を表示させる。
【００７８】
操作画面Ｄ３では、操作画面Ｄ１の左側領域の左端部近傍に配置されていた顎受け上下動ボタンｇｂ２が右側領域の右端部近傍に配置されている。また、操作画面Ｄ１の右端部近傍に配置されていた測定ヘッド前進／後進ボタンｇｂ６が操作画面Ｄ３の左端部近傍に配置されている。それにより、検者等のユーザは、被検者側から眼科装置１に対する操作を直感的に行うことができる。
【００７９】
また、操作画面Ｄ３では、操作画面Ｄ１の左端部近傍に配置されていたＲボタンｇｂ１が右端部近傍に配置されている。また、操作画面Ｄ１の右端部近傍に配置されていたＬボタンｇｂ５が操作画面Ｄ３の左端部近傍に配置されている。それにより、表示画面１０ａにおけるＲボタンｇｂ１及びＬボタンｇｂ５の配置方向と被検者の左眼及び右眼の並び方向とを一致させることができる。したがって、検者等のユーザは、Ｒボタンｇｂ１及びＬボタンｇｂ５を用いて、眼科装置１に対する操作を直感的に行うことができる。
【００８０】
例えば、操作画面Ｄ３が表示された位置からタッチパネルディスプレイ１０が垂直軸Ｏ１の回りに１８０°だけ回動された場合、表示画面１０ａは０°の位置の方向に向けられる。この場合、表示制御部２０１Ａは、垂直軸回動検出部３１による検出結果に基づいて、表示画面１０ａに操作画面Ｄ２を表示させる。
【００８１】
操作画面Ｄ２では、操作画面Ｄ３の左端部近傍に配置されていた測定ヘッド前進／後進ボタンｇｂ６が右端部近傍に配置されている。また、操作画面Ｄ３の右端部近傍に配置されていた顎受け上下動ボタンｇｂ２が操作画面Ｄ２の左端部近傍に配置されている。操作画面Ｄ２では、操作画面Ｄ１と同様に、Ｒボタンｇｂ１及びＬボタンｇｂ５が配置されている。
【００８２】
例えば、操作画面Ｄ２が表示された位置からタッチパネルディスプレイ１０が垂直軸Ｏ１の回りに右方向に９０°だけ回動された場合、表示画面１０ａは検者から見て右方向に向けられる。この場合、表示制御部２０１Ａは、垂直軸回動検出部３１による検出結果に基づいて、表示画面１０ａに操作画面Ｄ８を表示させる。
【００８３】
例えば、操作画面Ｄ８が表示された位置からタッチパネルディスプレイ１０が水平軸Ｏ２の回りに１８０°だけ回動された場合、表示画面１０ａは水平軸Ｏ２により低い位置に配置される。この場合、表示制御部２０１Ａは、水平軸回動検出部３２による検出結果に基づいて、表示画面１０ａに操作画面Ｄ６を表示させる。
【００８４】
操作画面Ｄ６、Ｄ８では、操作画面Ｄ２の左端部近傍に配置されていた顎受け上下動ボタンｇｂ２が右端部近傍に配置されている。また、操作画面Ｄ２の右端部近傍に配置されていた測定ヘッド前進／後進ボタンｇｂ６が操作画面Ｄ６、Ｄ８の左端部近傍に配置されている。
【００８５】
例えば、操作画面Ｄ２が表示された位置からタッチパネルディスプレイ１０が垂直軸Ｏ１の回りに左方向に９０°だけ回動された場合、表示画面１０ａは検者から見て左方向に向けられる。この場合、表示制御部２０１Ａは、垂直軸回動検出部３１による検出結果に基づいて、表示画面１０ａに操作画面Ｄ７を表示させる。
【００８６】
例えば、操作画面Ｄ７が表示された位置からタッチパネルディスプレイ１０が水平軸Ｏ２の回りに１８０°だけ回動された場合、表示画面１０ａは水平軸Ｏ２より低い位置に配置される。この場合、表示制御部２０１Ａは、水平軸回動検出部３２による検出結果に基づいて、表示画面１０ａに操作画面Ｄ５を表示させる。
【００８７】
操作画面Ｄ５、Ｄ７では、操作画面Ｄ２の左端部近傍に配置されていた顎受け上下動ボタンｇｂ２が左端部近傍にそのまま配置されている。また、また、操作画面Ｄ２の右端部近傍に配置されていた測定ヘッド前進／後進ボタンｇｂ６が操作画面Ｄ５、Ｄ７の右端部近傍にそのまま配置されている。
【００８８】
例えば、操作画面Ｄ１が表示された位置からタッチパネルディスプレイ１０が垂直軸Ｏ１の回りに１８０°だけ回動された場合、表示画面１０ａは上方又は被検者側に向けられる。この場合、表示制御部２０１Ａは、少なくとも垂直軸回動検出部３１による検出結果に基づいて、表示画面１０ａに操作画面Ｄ４を表示させる。
【００８９】
操作画面Ｄ４では、操作画面Ｄ３と同様に、顎受け上下動ボタンｇｂ２、Ｒボタンｇｂ１及びＬボタンｇｂ５がそれぞれ配置されている。
【００９０】
なお、図１１において、操作画面Ｄ５〜Ｄ８では顎受け上下動ボタンｇｂ２の配置だけを変更するものとして説明したが、表示画面１０ａにおける左端部近傍に配置される場合と右端部近傍に配置される場合とで異なる態様で表示させてもよい。例えば、左端部近傍及び右端部近傍のそれぞれについて端部側に被検者の顔を示す画像が配置される操作オブジェクトを配置させてもよい。
【００９１】
実施形態に係る眼科装置の構成は、前述の実施形態で説明した構成に限定されるものではない。実施形態に係る眼科装置では、例えば、垂直軸回動検出部は以下のように構成されていてもよい。
【００９２】
（変形例）
図１２Ａ及び図１２Ｂに、実施形態の変形例に係る垂直軸回動検出部の構成の概要を示す。図１２Ａは、垂直軸Ｏ１の方向から見た実施形態の変形例に係る垂直軸回動検出部の構成の概要を模式的に表したものである。図１２Ｂは、図１２ＡのＧ−Ｇ線（９０°の位置と２７０°の位置とを結ぶ線）断面図を表したものである。図１２Ａ及び図１２Ｂにおいて、図７Ａ及び図７Ｂと同様の部分には同一符号を付し、適宜説明を省略する。
【００９３】
本変形例に係る垂直軸回動検出部の構成が実施形態に係る垂直軸回動検出部の構成と異なる点は、複数のセンサ保持部を含み、各センサ保持部に発光部及び受光センサが設けられている点である。
【００９４】
本変形例に係る垂直軸回動検出部は、センサ保持部１５Ａ、１５Ｂと、遮蔽部材１６とを含む。センサ保持部１５Ａは、９０°の位置に設けられている。センサ保持部１５Ｂは、２７０°の位置に設けられている。
【００９５】
センサ保持部１５Ａは、発光部保持部１５Ａａと、受光センサ保持部１５Ａｂと、支持部１５Ａｃとを含む。遮蔽部材１６の第１面に対向する発光部保持部１５Ａａの面には、発光部ＰＳ１が配置されている。遮蔽部材１６の第１面の反対の第２面に対向する受光センサ保持部１５Ａｂの面には、受光センサＰＤ１が配置されている。支持部１５Ａｃは、支持部１５ｃと同様に、発光部保持部１５Ａａと受光センサ保持部１５Ａｂとを保持する。
【００９６】
センサ保持部１５Ｂは、発光部保持部１５Ｂａと、受光センサ保持部１５Ｂｂと、支持部１５Ｂｃとを含む。遮蔽部材１６の第１面に対向する発光部保持部１５Ｂａの面には、発光部ＰＳ２が配置されている。遮蔽部材１６の第２面に対向する受光センサ保持部１５Ｂｂの面には、受光センサＰＤ２が配置されている。支持部１５Ｂｃは、支持部１５ｃと同様に、発光部保持部１５Ｂａと受光センサ保持部１５Ｂｂとを保持する。
【００９７】
遮蔽部材１６は、タッチパネルディスプレイ１０と連動して垂直軸Ｏ１の回り各組の発光部と受光センサとの間を移動可能である。したがって、前述の実施形態と同様に、タッチパネルディスプレイ１０に連動して移動する遮蔽部材１６により発光部からの光を遮蔽することにより、タッチパネルディスプレイ１０の垂直軸Ｏ１の回りの回動範囲Ｒ１〜Ｒ４を検出することが可能である。
【００９８】
なお、センサ保持部１５Ａ、１５Ｂは図１２Ａ及び図１２Ｂに示す位置に配置されていなくてもよい。センサ保持部１５Ａ、１５Ｂは、発光部により発光された光が遮蔽部材１６に形成されたスリット又は切り欠き部を通過可能な任意の位置に配置されてよい。
【００９９】
観察・撮影光学系６は、実施形態に係る「光学系」の一例である。垂直軸Ｏ１は、実施形態に係る「第１軸」の一例である。水平軸Ｏ２は、実施形態に係る「第２軸」の一例である。垂直軸回動検出部３１は、実施形態に係る「第１検出部」の一例である。水平軸回動検出部３２は、実施形態に係る「第２検出部」の一例である。顎受け上下動ボタンｇｂ２は、実施形態に係る「第１操作オブジェクト」の一例である。Ｌボタンｇｂ５は、実施形態に係る「第２操作オブジェクト」の一例である。Ｒボタンｇｂ１は、実施形態に係る「第３操作オブジェクト」の一例である。
【０１００】
［効果］
実施形態に係る眼科装置の効果について説明する。
【０１０１】
実施形態に係る眼科装置（例えば眼科装置１）は、本体ユニット（例えば本体ユニット２０）と、タッチパネルディスプレイと、第１検出部と、表示制御部とを含む。本体ユニットには、被検眼を光学的に検査するための光学系が収容される。タッチパネルディスプレイは、本体ユニットに保持され、略垂直方向の第１軸の回りに回動可能である。第１検出部は、タッチパネルディスプレイの第１軸の回りの回動を検出する。表示制御部は、第１検出部による検出結果に基づいて、タッチパネルディスプレイの表示内容を変更する。
【０１０２】
このような構成によれば、タッチパネルディスプレイの略垂直方向の第１軸の回りの回動を検出し、その検出結果に基づいてタッチパネルディスプレイの表示内容を変更するようにしたので、第１軸の回りの位置に応じてタッチパネルディスプレイの表示内容を変更することができる。それにより、ユーザが検査を行いやすい位置の移動によりユーザと被検者と眼科装置との位置関係が変化した場合でも、ユーザは眼科装置に対して直感的に操作することができるようになる。
【０１０３】
また、実施形態に係る眼科装置では、第１検出部は、第１軸の回りの２以上の回動範囲のうちタッチパネルディスプレイの回動後の位置が含まれる回動範囲を検出してもよい。表示制御部は、第１検出部により検出された回動範囲に基づいてタッチパネルディスプレイの表示内容を変更してもよい。
【０１０４】
このような構成によれば、第１軸の回りの回動範囲に応じてタッチパネルディスプレイの表示内容を変更することができるので、ユーザと被検者と眼科装置との位置関係が変化した場合でも、ユーザは眼科装置に対して直感的に操作することができるようになる。
【０１０５】
また、実施形態に係る眼科装置は、顎受け部と、上下動機構と、機構制御部とを含んでもよい。上下動機構は、顎受け部と光学系とを上下方向に相対移動する。機構制御部は、タッチパネルディスプレイに表示された第１操作オブジェクトに対する操作内容に基づいて、上下動機構を制御する。表示制御部は、第１検出部による検出結果に基づいて、タッチパネルディスプレイにおける左側領域及び右側領域のうち被検眼に近い方の領域に第１操作オブジェクトを表示させる。
【０１０６】
このような構成によれば、ユーザと被検者と眼科装置との位置関係が変化した場合でも、ユーザは顎受け部を直感的に操作することができるようになる。
【０１０７】
また、実施形態に係る眼科装置では、表示制御部は、第１検出部による検出結果に基づいて、被検眼として右眼を選択するための第２操作オブジェクトをタッチパネルディスプレイにおける左側領域及び右側領域の一方に表示させ、被検眼として左眼を選択するための第３操作オブジェクトをタッチパネルディスプレイにおける他方に表示させてもよい。
【０１０８】
このような構成によれば、ユーザと被検者と眼科装置との位置関係が変化した場合でも、ユーザは直感的な操作により被検眼として左眼又は右眼を選択することができるようになる。
【０１０９】
また、実施形態に係る眼科装置では、タッチパネルディスプレイは、略水平方向の第２軸の回りに回動可能であり、タッチパネルディスプレイの第２軸の回りの回動を検出する第２検出部を含み、表示制御部は、第１検出部による検出結果及び第２検出部による検出結果に基づいて、タッチパネルディスプレイの表示内容を変更してもよい。
【０１１０】
このような構成によれば、タッチパネルディスプレイの略水平方向の第２軸の回りの回動を検出し、その検出結果に基づいてタッチパネルディスプレイの表示内容を変更するようにしたので、第２軸の回りの位置に応じてタッチパネルディスプレイの表示内容を変更することができる。それにより、ユーザが検査を行いやすい位置に応じてタッチパネルディスプレイの向きを変更しつつ、眼科装置に対する操作を行うことができる。
【０１１１】
また、実施形態に係る眼科装置では、表示制御部は、第２軸の回りの回動によってタッチパネルディスプレイの一辺とその対向する辺との上下関係が反転したときのタッチパネルディスプレイの表示状態が第２軸の回りの回動前の表示状態となるように、第２検出部による検出結果に基づいてタッチパネルディスプレイの表示内容を上下方向及び左右方向にそれぞれ反転させてもよい。
【０１１２】
このような構成によれば、例えば回動後も同じ見え方の画面で眼科装置に対する操作を行うことができる。
【０１１３】
以上に示された実施形態又は変形例は、この発明を実施するための一例に過ぎない。この発明を実施しようとする者は、この発明の要旨の範囲内において任意の変形、省略、追加等を施すことが可能である。
【０１１４】
前述の実施形態又はその変形例では、垂直軸回動検出部の構成が図７Ａや図１２Ａに示した構成である場合について説明したが、垂直軸回動検出部は加速度センサやロータリーエンコーダを用いて構成されていてもよい。
【０１１５】
前述の実施形態又はその変形例において、タッチパネルディスプレイに代えて、表示パネルとその近傍に配置された操作部とが設けられていてもよい。操作部は、ハードウェアスイッチ及び操作レバーの少なくとも１つを含んでよい。
【０１１６】
前述の実施形態又はその変形例に係る眼科装置は、角膜内皮細胞撮影装置、眼科用手術顕微鏡、細隙灯顕微鏡、眼底カメラ、光画像断層像撮影装置であってもよい。
【符号の説明】
【０１１７】
１  眼科装置
３  測定ヘッド
４  顎受け部
６  観察・撮影光学系
８  駆動部
９  頂部
１０  タッチパネルディスプレイ
１０ａ  表示画面
２０  本体ユニット
３０  サブユニット
３１  垂直軸回動検出部
３２  水平軸回動検出部
２００  制御部
２０１  主制御部
２０１Ａ  表示制御部
２０１Ｂ  機構制御部
２０２  記憶部
Ｏ１  垂直軸
Ｏ２  水平軸
【図１Ａ】
0006600215.tif 000002
【図１Ｂ】
0006600215.tif 000003
【図２Ａ】
0006600215.tif 000004
【図２Ｂ】
0006600215.tif 000005
【図３Ａ】
0006600215.tif 000006
【図３Ｂ】
0006600215.tif 000007
【図４Ａ】
0006600215.tif 000008
【図４Ｂ】
0006600215.tif 000009
【図５Ａ】
0006600215.tif 000010
【図５Ｂ】
0006600215.tif 000011
【図６】
0006600215.tif 000012
【図７Ａ】
0006600215.tif 000013
【図７Ｂ】
0006600215.tif 000014
【図７Ｃ】
0006600215.tif 000015
【図７Ｄ】
0006600215.tif 000016
【図８】
0006600215.tif 000017
【図９】
0006600215.tif 000018
【図１０】
0006600215.tif 000019
【図１１】
0006600215.tif 000020
【図１２Ａ】
0006600215.tif 000021
【図１２Ｂ】
0006600215.tif 000022